(57)【特許請求の範囲】
【請求項１】
ハウジングのカッター本体収容部内に収容された駆動源、及び前記カッター本体収容部の先端部に設けられ前記駆動源により駆動される刃部を有し、該刃部の駆動により毛髪を切断するヘアカッター本体部と、
前記ヘアカッター本体部の刃部で切断された毛髪を、吸引機構の吸引力により前記カッター本体収容部の外部に設けられる吸引口から吸引通路部を通じて吸引する毛髪吸引部とを備えたヘアカッターであって、
前記カッター本体収容部の内部と前記吸引通路部とを通風可能に連通する連通部が形成され、
前記連通部は、その前記カッター本体収容部側から前記吸引通路部側にかけて前記吸引通路部の下流方向に傾斜する傾斜部を備え、
前記カッター本体収容部及び前記吸引通路部のいずれか一方には、前記連通部を塞ぐ閉位置、及び前記連通部を通風可能に開放する開位置の２位置間で移動可能な可動蓋が設けられ、
前記可動蓋と、少なくとも前記吸引機構の駆動を操作するためのスイッチとを連動可能に連結する連結部材を備え、
前記可動蓋は、前記吸引機構の駆動時には前記開位置に、前記吸引機構の非駆動時には前記閉位置にそれぞれ切り替えられるように構成されたことを特徴とするヘアカッター。
【請求項２】
請求項１に記載のヘアカッターにおいて、
前記連通部は、前記刃部と前記駆動源との間に設けられたことを特徴とするヘアカッター。
【請求項３】
請求項１又は２に記載のヘアカッターにおいて、
前記ハウジングは、前記カッター本体収容部を有するハウジング本体と、断面凹状をなしその凹面が少なくとも前記カッター本体収容部と対向するように前記ハウジング本体に取り付けられるカバー部材とからなり、
前記吸引通路部は、前記カッター本体収容部の側面と前記カバー部材の凹面とで形成されたことを特徴とするヘアカッター。
【発明の詳細な説明】
【技術分野】
【０００１】
本発明は、切断した毛髪を吸引可能な吸引式のヘアカッターに関するものである。
【背景技術】
【０００２】
従来、吸引式のヘアカッターは、例えば特許文献１に示すように、ハウジングのカッター本体収容部内に収容された駆動源、及びカッター本体収容部の先端部に設けられ駆動源により駆動される刃部を有し、該刃部の駆動により毛髪を切断するヘアカッター本体部と、ヘアカッター本体部の刃部で切断された毛髪を、吸引機構の吸引力によりカッター本体収容部の外部に設けられる吸引口から吸引通路部を通じて吸引する毛髪吸引部とを備えている。このような吸引式ヘアカッターでは、切断した毛髪の飛散を抑えることができ、毛髪の掃除の煩わしさを低減できるようになっている。
【特許文献１】特開２００７−１０５１２１号公報
【発明の開示】
【発明が解決しようとする課題】
【０００３】
しかしながら、上記のようなヘアカッターでは、カッター本体収容部が刃部の駆動を緩衝しないように、カッター本体収容部と刃部との間には僅かながら隙間が設定されており、その隙間等から刃部で細かく切断された毛屑がカッター本体収容部内に入り込み蓄積してしまう。そのため、ハウジング内部の清掃に手間がかかり、メンテナンス性の悪化を招いていた。
【０００４】
本発明は、上記課題を解決するためになされたものであって、その目的は、カッター本体収容部の内部における毛屑の蓄積を抑えることができるヘアカッターを提供することにある。
【課題を解決するための手段】
【０００５】
上記課題を解決するために、請求項１に記載の発明は、ハウジングのカッター本体収容部内に収容された駆動源、及び前記カッター本体収容部の先端部に設けられ前記駆動源により駆動される刃部を有し、該刃部の駆動により毛髪を切断するヘアカッター本体部と、前記ヘアカッター本体部の刃部で切断された毛髪を、吸引機構の吸引力により前記カッター本体収容部の外部に設けられる吸引口から吸引通路部を通じて吸引する毛髪吸引部とを備えたヘアカッターであって、前記カッター本体収容部の内部と前記吸引通路部とを通風可能に連通する連通部が形成されたことをその要旨とする。
【０００６】
この発明では、カッター本体収容部の内部から連通部を通って吸引通路部へと流れる空気の流路が形成されるため、刃部とカッター本体収容部との隙間等から該収容部内に入る毛屑を、連通部を通って吸引通路部へと吸引することができる。これにより、カッター本体収容部の内部に毛屑が蓄積されることが抑制され、その結果、該収容部内のメンテナンス頻度を少なくすることができる。
【０００７】
また、請求項１に記載の発明は、前記連通部は、その前記カッター本体収容部側から前記吸引通路部側にかけて前記吸引通路部の下流方向に傾斜する傾斜部を備えたことをその要旨とする。
【０００８】
この発明では、カッター本体収容部の内部から連通部を通って吸引通路部へと流れる空気の流れをスムーズにできるため、カッター本体収容部の内部に入る毛屑を連通部から吸引通路部へと効果的に吸引することができる。
【０００９】
また、請求項１に記載の発明は、前記カッター本体収容部及び前記吸引通路部のいずれか一方には、前記連通部を塞ぐ閉位置、及び前記連通部を通風可能に開放する開位置の２位置間で移動可能な可動蓋が設けられたことをその要旨とする。
【００１０】
この発明では、閉位置に切り替えられた可動蓋によって吸引通路部内の毛屑が連通部を通ってカッター本体収容部内に侵入することを防止できる。
また、請求項１に記載の発明は、前記可動蓋と、少なくとも前記吸引機構の駆動を操作するためのスイッチとを連動可能に連結する連結部材を備え、前記可動蓋は、前記吸引機構の駆動時には前記開位置に、前記吸引機構の非駆動時には前記閉位置にそれぞれ切り替えられるように構成されたことをその要旨とする。
【００１１】
この発明では、吸引機構の駆動により吸引通路部内に吸引力が生じている状態では可動蓋を開位置に切り替えて、カッター本体収容部内の毛屑を吸引通路部に吸引することができ、吸引力が生じていない状態では可動蓋を閉位置に切り替えて吸引通路部内の毛屑が連通部を通ってカッター本体収容部内に侵入することを防止できる。また、スイッチを操作するだけで容易に可動蓋を切り替えることができる。
【００１２】
請求項２に記載の発明は、請求項１に記載のヘアカッターにおいて、前記連通部は、前記刃部と前記駆動源との間に設けられたことをその要旨とする。
この発明では、連通部が刃部と駆動源との間に設けられるため、刃部とカッター本体収容部との隙間等から該収容部の内部に入る毛屑を、駆動源に達する前で連通部から吸引することが可能となる。
【００１３】
請求項３に記載の発明は、請求項１又は２に記載のヘアカッターにおいて、前記ハウジングは、前記カッター本体収容部を有するハウジング本体と、断面凹状をなしその凹面が少なくとも前記カッター本体収容部と対向するように前記ハウジング本体に取り付けられるカバー部材とからなり、前記吸引通路部は、前記カッター本体収容部の側面と前記カバー部材の凹面とで形成されたことをその要旨とする。
【００１４】
この発明では、カバー部材が連通部形成の邪魔にならず、カッター本体収容部に貫通孔を形成するだけで連通部を形成できる。
【発明の効果】
【００１５】
従って、上記記載の発明によれば、カッター本体収容部の内部における毛屑の蓄積を抑えることができる。
【発明を実施するための最良の形態】
【００１６】
以下、本発明を具体化した一実施形態を図面に従って説明する。
図１に示す本実施形態のヘアカッターは、片手で把持可能な長尺形状をなすハウジング１を有している。ハウジング１は、その基端部から先端部の正面側（同図において下側）に延びるハウジング本体２と、そのハウジング本体２の背面側に着脱可能に装着されるカバー部材３とから構成されている。
【００１７】
図２（ａ）（ｂ）に示すように、ハウジング本体２は、その先端側に形成された扁平形状をなすカッター本体収容部１１と、基端側に形成された吸引機構収容部１２と、それら各収容部１１，１２を繋ぐとともにそれらの間に毛髪収容凹部１３ａを形成する中間部１３とを備えている。
【００１８】
カッター本体収容部１１は、その基端部（中間部１３側端部）及び長手方向中央部に一対のモータ支持部２１がそれぞれ形成されており、該モータ支持部２１に支持された駆動源としての第１モータ２２は、カッター本体収容部１１の先端側に突出する出力軸２２ａを有している。尚、モータ２２はその出力軸２２ａの軸線がヘアカッターの長手方向に沿うようにカッター本体収容部１１内に設けられている。カッター本体収容部１１において長手方向中央部のモータ支持部２１よりもやや先端側に形成されたカム支持部２３には、モータ２２の出力軸２２ａに駆動連結されたカム機構２４が支持されている。
【００１９】
カッター本体収容部１１の先端部には、その先端方向正面側に斜めに開口する刃取付部２５が形成されるとともに、その刃取付部２５にはその開口を覆うように刃ブロック２６が着脱可能に設けられている。刃ブロック２６は、扁平形状をなす基部２６ａと、カッター本体収容部１１の先端から突出するように基部２６ａに設けられた刃部２６ｂとからなる。刃部２６ｂは幅方向（図２（ａ）において左右方向）においてカッター本体収容部１１と略同等の長さをなすとともに、カバー部材３側に斜めに突出するように設けられている。また、刃部２６ｂはカバー側側壁１１ａの先端部と僅かな隙間を有して対向している。この刃部２６ｂは、カッター本体収容部１１内において前記カム機構２４と連結されており、モータ２２の回転はカム機構２４により幅方向（図２（ｂ）において紙面直交方向）の往復運動に変換されて刃部２６ｂに伝達されるようになっている。本実施形態では、カッター本体収容部１１、第１モータ２２、カム機構２４及び刃ブロック２６がヘアカッター本体部を構成している。
【００２０】
ハウジング本体２基端部の吸引機構収容部１２には、第２モータ３１の出力軸に吸引ファン３２が連結されてなる吸引機構３０が収容されている。吸引機構収容部１２はその先端面にフィルタ３３が設けられるとともに、該収容部１２の基端には吐出口３４が設けられている。第２モータ３１の駆動により吸引ファン３２が回転されると、フィルタ３３側から空気を吸引する吸引力が生じる。また、吸引ファン３２によりフィルタ３３側から吸引された空気は吐出口３４から排出されるようになっている。
【００２１】
ハウジング本体２の背面側においてそのカッター本体収容部１１及び中間部１３を覆うカバー部材３は、ハウジング本体２に着脱可能に取り付けられる固定カバー４１と、その固定カバー４１の先端部において長手方向にスライド可能に設けられるスライドカバー４２とからなる。固定カバー４１及びスライドカバー４２はその長手方向と直交する断面が円弧状をなすとともに、それらの凹面（内面）４１ａ，４２ａがカッター本体収容部１１及び中間部１３と対向するように設けられている。
【００２２】
このようなカバー部材３の内面と、前記ハウジング本体２におけるカバー部材３側の側面とで吸引通路部４３が形成されている。詳しくは、吸引通路部４３は、固定カバー４１及びスライドカバー４２の凹面４１ａ，４２ａと、カッター本体収容部１１のカバー側側壁１１ａの外面及び中間部１３の毛髪収容凹部１３ａとで形成されている。尚、吸引通路部４３はハウジング１の先端部から長手方向中間部にかけて該長手方向に沿って形成されている。
【００２３】
また、スライドカバー４２の先端部は、刃部２６ｂの背面側に配置される吸引口４４を形成しており、該吸引口４４は刃部２６ｂ近傍の外気を吸引可能となっている。尚、毛髪収容凹部１３ａと固定カバー４１の凹面４１ａとで形成される空間には、吸引した毛屑が収容されるようになっている。上記したような吸引機構３０、吸引通路部４３及び吸引口４４が本実施形態の毛髪吸引部を構成しており、刃部２６ｂで切断された毛髪は吸引機構３０の吸引力により吸引口４４から吸引通路部４３を通じて吸引可能となっている。
【００２４】
図１及び図２（ａ）に示すように、ハウジング本体２の側部には、前記第１及び第２モータ２２，３１を駆動させるためのスイッチ４５が長手方向にスライド可能に設けられている。このスイッチ４５が長手方向先端側にスライドされてオン位置に切り替えられると各モータ２２，３１が駆動され、長手方向基端側にスライドされてオフ位置に切り替えられると各モータ２２，３１の駆動が停止されるようになっている。
【００２５】
上記カッター本体収容部１１においてそのカバー側側壁１１ａには、該収容部１１の内部と吸引通路部４３とを連通する連通部としての貫通孔５０が形成されている。詳述すると、貫通孔５０は平面視で矩形をなすとともにカバー側側壁１１ａの幅方向中央に形成されている（図２（ａ）参照）。また、貫通孔５０はカム支持部２３と刃部２６ｂとの間に形成されており、該貫通孔５０は刃ブロック２６とカバー側側壁１１ａとの間の空間と吸引通路部４３とを連通している。貫通孔５０の長手方向の両縁部にはそれぞれ、カッター本体収容部１１の内部側から外部側にかけて基端方向に傾斜する傾斜部５０ａが形成されている。即ち、貫通孔５０はカッター本体収容部１１側から吸引通路部４３側にかけてその吸引通路部４３の下流方向に傾斜するように形成されている。尚、各傾斜部５０ａの傾斜角度は互いに等しく設定されている。
【００２６】
カッター本体収容部１１において、カバー側側壁１１ａの内部側には可動蓋５１が長手方向にスライド可能に設けられている。可動蓋５１は、貫通孔５０を塞ぐ閉位置（図３（ａ）参照）、及び貫通孔５０を通風可能に開放する開位置（図３（ｂ）参照）の２位置間でスライド可能となっている。また、可動蓋５１は、カッター本体収容部１１内に収容される連結部材５２を介して前記スイッチ４５と連結されており、可動蓋５１は連結部材５２によってスイッチ４５のスライド動作と連動してそのスイッチ４５と同方向にスライドするようになっている。即ち、スイッチ４５がオン位置にスライドされると可動蓋５１が開位置に切り替えられ、反対にスイッチ４５がオフ位置にスライドされると、可動蓋５１が閉位置に切り替えられるようになっている。
【００２７】
上記したようなヘアカッターの動作態様を図３（ａ）（ｂ）に従って説明する。尚、図３（ｂ）における吸引通路部４３を通る矢印は、吸引機構３０の吸引力により生じる空気の流れを模式的に表している。
【００２８】
スイッチ４５がオン位置に切り替えられると、図３（ｂ）に示すように、可動蓋５１が開位置に移動して貫通孔５０が開放され、第１及び第２モータ２２，３１が駆動される。すると、カッター本体収容部１１の刃部２６ｂが駆動されるとともに、吸引機構３０の吸引ファン３２が回転駆動されて刃部２６ｂ近傍から吸引口４４を通って吸引通路部４３内へと流れる空気の流路が形成される。これにより、刃部２６ｂにより切断された毛髪の大半は吸引口４４から吸引通路部４３へと吸引されて、該吸引通路部４３の基端側に順次収容されていく。
【００２９】
また、このとき、吸引ファン３２の吸引力によりカッター本体収容部１１の内部から貫通孔５０を通って吸引通路部４３内へと空気の流路が形成される。このため、刃部２６ｂとカッター本体収容部１１との隙間等から該収容部１１の内部に入り込んだ毛屑を、貫通孔５０から吸引通路部４３へと吸引することが可能となっており、該貫通孔５０から吸引された毛屑は、吸引口４４から吸引されたものと同様に吸引通路部４３内へと順次収容されていく。また、貫通孔５０は、カッター本体収容部１１側から吸引通路部４３側にかけてその吸引通路部４３の下流方向に傾斜するように形成されているため、カッター本体収容部１１内の毛屑を貫通孔５０から効果的に吸引することが可能となっている。
【００３０】
スイッチ４５がオフ位置に切り替えられると、図３（ａ）に示すように、可動蓋５１が閉位置に移動して貫通孔５０を塞ぐとともに、第１及び第２モータ２２，３１の駆動が停止される。これにより、吸引通路部４３内に収容された毛屑が貫通孔５０からカッター本体収容部１１内に侵入することを防止できるようになっている。
【００３１】
次に、本実施形態の特徴的な作用効果を記載する。
（１）本実施形態では、カッター本体収容部１１にはその内部と吸引通路部４３とを通風可能に連通する連通部としての貫通孔５０が形成される。これにより、カッター本体収容部１１の内部から貫通孔５０を通って吸引通路部４３へと流れる空気の流路が形成されるため、カッター本体収容部１１内の毛屑を、貫通孔５０を通って吸引通路部４３へと吸引することができる。その結果、カッター本体収容部１１の内部に毛屑が蓄積されることが抑制され、その結果、該収容部１１内のメンテナンス頻度を少なくすることができる。
【００３２】
（２）本実施形態では、貫通孔５０は、そのカッター本体収容部１１側から吸引通路部４３側にかけて吸引通路部４３の下流方向に傾斜する傾斜部５０ａを備える。これにより、カッター本体収容部１１の内部から貫通孔５０を通って吸引通路部４３へと流れる空気の流れをスムーズにできるため、カッター本体収容部１１の内部に入る毛屑を貫通孔５０から吸引通路部４３へと効果的に吸引することができる。
【００３３】
（３）本実施形態では、カッター本体収容部１１及び吸引通路部４３のいずれか一方には、貫通孔５０を塞ぐ閉位置、及び貫通孔５０を通風可能に開放する開位置の２位置間で移動可能な可動蓋５１が設けられるため、閉位置に切り替えられた可動蓋５１によって吸引通路部４３内の毛屑が貫通孔５０を通ってカッター本体収容部１１内に侵入することを防止できる。
【００３４】
（４）本実施形態では、第１及び第２モータ２２，３１の駆動を操作するためのスイッチ４５と可動蓋５１とを連動可能に連結する連結部材５２を備え、可動蓋５１は、吸引機構３０の駆動時には開位置に、吸引機構３０の非駆動時には閉位置にそれぞれ切り替えられるように構成される。このため、吸引機構３０の駆動により吸引通路部４３内に吸引力が生じている状態では可動蓋５１を開位置に切り替えて、カッター本体収容部１１内の毛屑を吸引通路部４３に吸引することができ、吸引力が生じていない状態では可動蓋５１を閉位置に切り替えて吸引通路部４３内の毛屑が貫通孔５０を通ってカッター本体収容部１１内に侵入することを防止できる。また、スイッチ４５を操作するだけで容易に可動蓋５１を切り替えることができる。
【００３５】
（５）本実施形態では、貫通孔５０が刃部２６ｂと駆動源との間に設けられるため、刃部２６ｂとカッター本体収容部１１との隙間等から該収容部１１の内部に入る毛屑を、駆動源に達する前で貫通孔５０から吸引することが可能となる。
【００３６】
（６）本実施形態では、ハウジング１は、カッター本体収容部１１を有するハウジング本体２と、断面凹状をなしその凹面４１ａ，４２ａがカッター本体収容部１１と対向するようにハウジング本体２に取り付けられるカバー部材３とからなり、吸引通路部４３は、カッター本体収容部１１のカバー側側壁１１ａ側面とカバー部材３の凹面４１ａ，４２ａとで形成される。このため、カバー部材３が貫通孔５０形成の邪魔にならず、カッター本体収容部１１に貫通孔５０を形成するだけで貫通孔５０を形成できる。
【００３７】
尚、本発明の実施形態は、以下のように変更してもよい。
・上記実施形態では、貫通孔５０は長手方向の両縁部にそれぞれ傾斜部５０ａが形成されたが、特にこれに限定されるものではなく、例えばどちらか一方の傾斜部５０ａのみで構成してもよい。また、各傾斜部５０ａを設けずに吸引通路部４３と直交するように構成してもよい。
【００３８】
・上記実施形態では、貫通孔５０の各傾斜部５０ａの傾斜角度は互いに等しく設定されたが、互いに異なるように形成してもよい。
・上記実施形態では、貫通孔５０は平面視で矩形をなすとともにカバー側側壁１１ａの幅方向中央に形成されたが、これ以外に例えば、平面視で楕円形としてもよく、また、例えばカバー側側壁１１ａの幅方向の全体に亘って形成してもよい。
【００３９】
・上記実施形態では、特に言及しなかったが、貫通孔５０は１つのみ設けられたが、複数設けてもよい。
・上記実施形態では、貫通孔５０はカム支持部２３と刃部２６ｂとの間に形成されたが、特にこれに限定されるものではない。
【００４０】
・上記実施形態では、可動蓋５１は、カバー側側壁１１ａの内部側に設けられたが、外部側に設けてもよく、また、カバー部材３に設けてもよい。
・上記実施形態では、可動蓋５１は長手方向にスライド可能に設けられたが、これ以外に例えば、可動蓋５１の端部を回動軸として回動可能に設けてもよい。
【００４１】
・上記実施形態では、カバー部材３は断面円弧状に形成されたが、これ以外に例えば、断面コ字状としてもよい。また、カバー部材３は半割筒状をなしたが、筒状としてもよい。カバー部材を筒状とする場合、連通部はカッター本体収容部１１の貫通孔５０と、カバー部材の側壁に設けた貫通孔とから構成される。
【００４２】
・上記実施形態では、ハウジング１内に小型の吸引機構３０を備える構成としたが、特にこれに限定されるものではなく、例えば吸引機構として家庭用掃除機を使用する構成としてもよい。
【図面の簡単な説明】
【００４３】
【図１】本実施形態におけるヘアカッターの斜視図。
【図２】（ａ）（ｂ）ヘアカッターの平面図、側断面図。
【図３】（ａ）（ｂ）ヘアカッターの動作態様を説明するための側断面図。
【符号の説明】
【００４４】
１…ハウジング、２…ハウジング本体、３…カバー部材、１１…カッター本体収容部、２２…駆動源としての第１モータ、２４…カム機構、２６…刃ブロック、２６ｂ…刃部、３０…吸引機構、４１ａ，４２ａ…凹面、４３…吸引通路部、４４…吸引口、４５…スイッチ、５０…連通部としての貫通孔、５０ａ…傾斜部、５１…可動蓋、５２…連結部材。
【図１】
0004538676.tif 000002
【図２】
0004538676.tif 000003
【図３】
0004538676.tif 000004